(57)【要約】【課題】転送先を容易に設定できるボタン電話システムを提供する。【解決手段】ユーザは、外出する際、ボタン電話機２に接続されたリーダ装置３に携帯電話機４をかざす。これにより、主装置１は、ボタン電話機２に着信があると、この着信を携帯電話機４に転送する。このように、携帯電話機４をリーダ装置３にかざすという簡単な操作だけで、着信転送を設定することができる。【選択図】  図１
2010087840.tif 000002
【特許請求の範囲】
【請求項１】
電話網に接続される主装置と、
この主装置に収容されたボタン電話機と、
前記電話網に接続可能な携帯電話機から当該携帯電話機の電話番号を読み取るリーダ装置と
を備え、
前記主装置は、
前記リーダ装置によって読み取られた電話番号を前記電話網から主装置に対する着信の転送先として設定する設定部と、
前記電話網から前記主装置に対する着信を、前記リーダ装置によって読み取られた電話番号の携帯電話機に転送する転送部と
を備えることを特徴とするボタン電話システム。
【請求項２】
前記リーダ装置は、前記ボタン電話機に接続され、
前記設定部は、前記リーダ装置により読み出された電話番号を前記ボタン電話機に対する着信の転送先として設定する
ことを特徴とする請求項１記載のボタン電話システム。
【請求項３】
前記設定部は、前記リーダ装置により第１の電話番号が読み取られた後、所定の時間内に第２の電話番号が読み取られると、前記第１の電話番号および前記第２の電話番号を前記ボタン電話機に対する着信の転送先として設定する
ことを特徴とする請求項２記載のボタン電話システム。
【請求項４】
前記主装置は、複数のボタン電話機を収容し、
前記設定部は、前記リーダ装置により読み出された電話番号を前記ボタン電話機のうち任意のボタン電話機の内線番号に対する着信の転送先として設定する
ことを特徴とする請求項１記載のボタン電話システム。
【請求項５】
前記設定部は、前記転送先として設定された電話番号が再度前記リーダ装置により読み取られると、当該電話番号を当該転送先とする設定を解除する
ことを特徴とする請求項１乃至４の何れか１項に記載のボタン電話システム。
【発明の詳細な説明】
【技術分野】
【０００１】
本発明は、着信転送を行うことができるボタン電話システムに関するものである。
【背景技術】
【０００２】
従来より、外部からの着信を所定の電話番号に転送する、いわゆる着信転送を実現する電話システムが提案されている（例えば、特許文献１参照。）。このような電話システムでは、ユーザにより転送先の電話番号が入力されるなどの所定の設定動作による着信転送の設定が行われると、この設定が解除されるまでの間、そのボタン電話機に対する着信が転送先の電話番号に転送される。
【０００３】
【特許文献１】特開平０５−０４８７４３号公報
【発明の開示】
【発明が解決しようとする課題】
【０００４】
しかしながら、従来のボタン電話システムでは、着信転送を設定するには、ダイヤルキーの押下など煩雑な操作入力を行わなければなかった。
【０００５】
そこで、本願発明は、転送先を容易に設定できるボタン電話システムを提供することを目的とする。
【課題を解決するための手段】
【０００６】
上述したような課題を解決するために、本発明に係るボタン電話システムは、電話網に接続される主装置と、この主装置に収容されたボタン電話機と、電話網に接続可能な携帯電話機から当該携帯電話機の電話番号を読み取るリーダ装置とを備え、主装置は、リーダ装置によって読み取られた電話番号を電話網から主装置に対する着信の転送先として設定する設定部と、電話網から主装置に対する着信を、リーダ装置によって読み取られた電話番号の携帯電話機に転送する転送部とを備えることを特徴とする。
【０００７】
上記ボタン電話システムにおいて、リーダ装置は、ボタン電話機に接続され、
設定部は、リーダ装置により読み出された電話番号をボタン電話機に対する着信の転送先として設定するようにしてもよい。ここで、設定部は、リーダ装置により第１の電話番号が読み取られた後、所定の時間内に第２の電話番号が読み取られると、第１の電話番号および第２の電話番号をボタン電話機に対する着信の転送先として設定するようにしてもよい。
【０００８】
また、上記ボタン電話システムにおいて、主装置は、複数のボタン電話機を収容し、
設定部は、リーダ装置により読み出された電話番号をボタン電話機のうち任意のボタン電話機の内線番号に対する着信の転送先として設定するようにしてもよい。
【０００９】
また、上記ボタン電話システムにおいて、設定部は、転送先として設定された電話番号が再度リーダ装置により読み取られると、当該電話番号を当該転送先とする設定を解除するようにしてもよい。
【発明の効果】
【００１０】
本発明によれば、リーダ装置が携帯電話機の電話番号を読み取り、主装置がこのリーダ装置により読み出された電話番号が電話網から主装置に対する着信の転送先として設定されるので、リーダ装置に携帯電話機の電話番号を読み取らせるという簡単な動作だけで容易に転送先の設定ができる。また、誤って解除されることも防止することができる。
【発明を実施するための最良の形態】
【００１１】
以下、図面を参照して、本発明の実施の形態について図１乃至図３を参照しながら説明する。
【００１２】
［第１の実施の形態］
まず、本発明の第１の実施の形態に係るボタン電話システムについて説明する。
【００１３】
＜ボタン電話システムの構成＞
図１に示すように、本実施の形態に係るボタン電話システムは、アナログ電話網、ＩＳＤＮ（Integrated Service Digital Network）網、ＩＰ（Internet Protocol）網等からなる電話網１０に接続された主装置１と、内線伝送路２０を介して主装置１に接続されたボタン電話機２と、このボタン電話機２に接続されたリーダ装置３と、携帯電話機４とから構成される。便宜上、本実施の形態では、主装置１に１台のボタン電話機２が収容される場合を例に説明するが、主装置１には複数のボタン電話機が収容されるようにしてもよい。
【００１４】
主装置１は、電話網１０を終端制御する外線Ｉ／Ｆ部１１と、内線伝送路２０を介して接続された各ボタン電話機とデータ伝送を行う内線Ｉ／Ｆ部１２と、外線Ｉ／Ｆ部１１と内線Ｉ／Ｆ部１２との間に設けられ、各種機能処理を行う主制御部１３と、この主制御部１３での処理に必要な情報を記憶する主記憶部１４とを備える。なお、内線伝送路２０としては、主装置１とボタン電話機２との間で情報通信を行える限り、有線伝送路および無線伝送路のいずれを用いてもよい。
【００１５】
ここで、主制御部１３は、電話網１０の回線を終端するとともに、各ボタン電話機２の発着信その他の動作制御など、一般的なボタン電話システムが持つ機能を提供するための機能処理部１３ａと、ボタン電話機２に対する着信の転送の設定および解除を行う設定部１３ｂと、この設定部１３ｂにおける設定内容に基づいて着信転送動作を行う転送部１３ｃとが設けられている。ここで、設定部１３ｂは、所定の操作入力を検出すると、後述する主記憶部１４に転送処理に必要とされる情報を記録する。また、転送部１３ｃは、主記憶部１４に記憶された情報に基づいて転送処理を実行する。このような主制御部１３は、ＣＰＵなどのマイクロプロセッサとその周辺回路からなり、制御メモリに記憶された動作プログラムを読み込んで実行することにより、上記ハードウェアと動作プログラムを協働させ、機能処理部１３ａ、設定部１３ｂおよび転送部１３ｃを実現する。
【００１６】
また、主記憶部１４は、転送元の電話番号と、転送先の電話番号とが対応付けて記憶される転送ＤＢ（Data Base）１４１が設けられている。また、主記憶部１４は、ボタン電話機の識別情報や転送先の電話番号などの転送の設定に関わる情報も記憶する。
【００１７】
ボタン電話機２は、内線伝送路２０を介して主装置１とデータ伝送を行う伝送Ｉ／Ｆ部２１と、伝送Ｉ／Ｆ部２１で受信された音声データを音声信号へ復号化してハンドセット（図示せず）やスピーカ（図示せず）へ出力し、ハンドセット（図示せず）やマイク（図示せず）から入力された音声信号を音声データへ復号化して伝送Ｉ／Ｆ部２１へ出力する音声処理部２２と、各種キー操作やフック状態を検出する操作入力部２３と、操作入力部２３で検出された操作入力信号を伝送Ｉ／Ｆ部２１を介して主装置１へ送信するとともに、伝送Ｉ／Ｆ部２１で受信された主装置１からの制御データに基づきボタン電話機の各回路部を制御する子機制御部２４と、子機制御部２４での制御処理に必要な各種情報を記憶する制御メモリ２５と、リーダ装置３から受信した情報を受け付けて子機制御部２４に入力するリーダＩ／Ｆ部２６とを備えている。
【００１８】
リーダ装置３は、公知の非接触ＩＣカード技術を用いて、携帯電話機４から電話番号等の情報を受信する装置である。このようなリーダ装置３は、ボタン電話機２の近傍に配置される。
【００１９】
携帯電話機４は、携帯電話網（図示せず）を終端制御する無線Ｉ／Ｆ部４１と、無線Ｉ／Ｆ部４１で受信された音声データを音声信号へ復号化してスピーカ（図示せず）へ出力し、マイク（図示せず）から入力された音声信号を音声データへ復号化して無線Ｉ／Ｆ部４１へ出力する音声処理部４２と、各種キー操作やフック状態を検出する操作入力部４３と、携帯電話機４の各種機能処理を行う携帯制御部４４と、携帯制御部４４での制御処理に必要な各種情報を記憶する制御メモリ４５と、公知の非接触ＩＣカード技術を用いてリーダ装置３に対して電話番号等の情報を送信する非接触Ｉ／Ｆ部４６とを備えている。
【００２０】
＜ボタン電話システムの転送設定動作および転送解除動作＞
次に、図２を参照して、本実施の形態に係るボタン電話システムの転送設定動作および転送解除動作について説明する。
【００２１】
例えば、ボタン電話機２を使用しているユーザが携帯電話機４を携帯して外出する場合に、ボタン電話機２への着信を携帯電話機４に転送させる設定を行うには、ユーザは、携帯電話機４をボタン電話機２の近傍に設置されたリーダ装置３に近接させる（ステップＳ２０１）。すると、携帯電話機４の非接触Ｉ／Ｆ部４６は、携帯電話機４の電話番号をリーダ装置３に送信する（ステップＳ２０２）。リーダ装置３は、携帯電話機４から電話番号を受信すると、この電話番号をボタン電話機２に送信する（ステップＳ２０３）。ボタン電話機２は、リーダＩ／Ｆ部２６を介してリーダ装置３から携帯電話機４の電話番号を受信すると、この電話番号を伝送Ｉ／Ｆ部２１を介して主装置１に送信する（ステップＳ２０４）。主装置１は、内線Ｉ／Ｆ部１２を介してボタン電話機２から携帯電話機４の電話番号を受信すると、設定部１３ｂにより、この電話番号をボタン電話機２に対する着信の転送先として設定する（ステップＳ２０５）。具体的には、転送先となる携帯電話機４の電話番号（ボタン電話機が複数ある場合には、さらにボタン電話機を特定する識別情報）が主記憶部１４に記憶される。転送先を設定すると、設定部１３ｂは、転送先の設定が完了した旨を示す設定完了通知をボタン電話機２に送信する（ステップ２０６）。設定完了通知を受信すると、ボタン電話機２の子機制御部２４は、ボタン電話機２に設けられているランプに転送先が設定された旨を示す表示をさせたり、スピーカに転送先が設定された旨を示す音声を出力させたりするなどの設定完了通知動作を行わせる（ステップＳ２０７）。
【００２２】
以上の手順により、携帯電話機４が転送先と設定され、外部からボタン電話機２に対して着信があると、主装置１の転送部１３ｃは、その着信を携帯電話機４の電話番号に転送する。
【００２３】
転送の設定を解除するには、以下の操作を行えばよい。
【００２４】
例えば、外出から戻って来るなど、転送の必要がなくなり、ボタン電話機２への着信を携帯電話機４に転送させる設定を解除する場合、ユーザは、携帯電話機４をボタン電話機２に接続されたリーダ装置３に近接させる（ステップＳ２１１）。すると、携帯電話機４の非接触Ｉ／Ｆ部４６は、携帯電話機４の電話番号をリーダ装置３に送信する（ステップＳ２１２）。リーダ装置３は、携帯電話機４から電話番号を受信すると、この電話番号をボタン電話機２に送信する（ステップＳ２１３）。ボタン電話機２は、リーダＩ／Ｆ部２６を介してリーダ装置３から携帯電話機４の電話番号を受信すると、この電話番号を伝送Ｉ／Ｆ部２１を介して主装置１に送信する（ステップＳ２１４）。主装置１は、内線Ｉ／Ｆ部１２によりボタン電話機２から携帯電話機４の電話番号を再度受信すると、主制御部１３の設定部１３ｂにより、主記憶部１４の記憶内容を確認し、同一の電話番号が記憶されていれば、転送に設定されていることになるので、当該操作が転送設定の解除の操作であると判断して、主記憶部１４から携帯電話機４の電話番号を削除して、ボタン電話機２に対する着信転送の設定を解除する（ステップＳ２１５）。着信転送が解除されると、設定部１３ｂは、着信転送を解除した旨を示す解除完了通知をボタン電話機２に送信する（ステップ２１６）。解除完了通知を受信すると、ボタン電話機２の子機制御部２４は、ボタン電話機２に設けられているランプに着信転送が解除された旨を示す表示をさせたり、スピーカに着信転送が解除された旨を示す音声を出力させたりするなどの解除完了通知動作を行わせる（ステップＳ２１７）。これにより、外部からボタン電話機２に対して着信があると、主装置１の機能処理部１３ａは、内線Ｉ／Ｆ部１２、内線伝送路２０、伝送Ｉ／Ｆ２１を介してボタン電話機２を呼び出す。
【００２５】
＜主装置の動作＞
次に、図３を参照して、主装置の動作について説明する。
【００２６】
主装置１の主制御部１３は、内線Ｉ／Ｆ部１２を介してボタン電話機２からリーダ装置３により読み出された携帯電話機４の電話番号を受信すると（ステップＳ３０１：ＹＥＳ）、設定部１３ｂにより、その電話番号が主記憶部１４の転送ＤＢ１４１に登録されているか否か確認する（ステップＳ３０２）。
【００２７】
ボタン電話機２から受信した電話番号が登録されていない場合（ステップＳ３０２：ＮＯ）、設定部１３ｂは、その受信した電話番号をボタン電話機２の転送先として設定する（ステップＳ３０３）。このとき、ボタン電話機２と携帯電話機４の電話番号とは、対応付けられて転送ＤＢ１４１に登録される。この登録後にボタン電話機２に対して着信があると、転送ＤＢ１４１にボタン電話機２の転送先として携帯電話機４の電話番号が登録されているので、転送部１３ｃは、その着信を携帯電話機４に転送する。
【００２８】
転送先を設定すると、設定部１３ｂは、転送先の設定が完了した旨を示す設定完了通知をボタン電話機２に送信する（ステップＳ３０４）。これにより、ボタン電話機２に、ボタン電話機２に設けられているランプにより転送先が設定された旨を示す表示をさせたり、スピーカに転送先により着信転送が設定された旨を示す音声を出力させる。
【００２９】
一方、ボタン電話機２から受信した電話番号が登録されている場合（ステップＳ３０２：ＹＥＳ）、設定部１３ｂは、ボタン電話機２の着信転送を解除する（ステップＳ３０５）。このとき、転送ＤＢ１４１に対応付けて登録されていたボタン電話機２と携帯電話機４の電話番号とは、消去される。これにより、その解除後にボタン電話機２に対して着信があると、転送ＤＢ１４１にボタン電話機２の転送先として何も登録されていないので、機能処理部１３ａは、内線Ｉ／Ｆ部１２、内線伝送路２０、伝送Ｉ／Ｆ２１を介してボタン電話機２を呼び出す。
【００３０】
着信転送を解除すると、設定部１３ｂは、着信転送を解除した旨を示す解除完了通知をボタン電話機２に送信する（ステップ３０６）。これにより、ボタン電話機２に、ボタン電話機２に設けられているランプに着信転送が解除された旨を示す表示をさせたり、スピーカに着信転送が解除された旨を示す音声を出力させる。
【００３１】
以上説明したように、本実施の形態によれば、ボタン電話機２に接続されたリーダ装置３に携帯電話機４をかざすという簡単な操作だけで、着信転送の設定および解除を行うことができる。
【００３２】
［第２の実施の形態］  
次に、本発明の第２の実施の形態について説明する。なお、本実施の形態は、ユーザがボタン電話機２に設けられた設定解除ボタンを押下することにより、着信転送を解除するものであり、その他は第１の実施の形態と同等である。したがって、本実施の形態において、第１の実施の形態と同等の構成要素や処理については、同じ名称および符号を付し、適宜説明を省略する。
【００３３】
＜ボタン電話システムの転送設定動作および転送解除動作＞
図４を参照して、本実施の形態に係るボタン電話機システムの転送設定動作および転送解除動作について説明する。なお、本実施の形態において、転送設定動作は、図２を参照して説明した転送解除動作（ステップＳ２０１〜Ｓ２０７）と同等である。したがって、転送設定動作については説明を省略する。
【００３４】
例えば、外出から戻ってくるなど、転送の必要がなくなり、ボタン電話機２への着信を携帯電話機４に転送させる設定を解除する場合、ユーザは、ボタン電話機２に設けられた設定解除ボタンを押下する（ステップＳ４０１）。この設定解除ボタンとしては、所定のダイヤル、所定の機能キー、ダイヤルキーや機能キーとは別に設けたボタンなどから構成される。
【００３５】
ボタン電話機２の操作入力部２３により設定解除ボタンが押下されたことが検出されると、子機制御部２４は、着信転送の解除を要求する旨を示す設定解除要求を、伝送Ｉ／Ｆ２１および内線伝送路２０を介して主装置１に送信する（ステップＳ４０２）。
【００３６】
内線Ｉ／Ｆ部１２を介してボタン電話機２から設定解除要求を受信すると、主装置１は、主制御部１３の設定部１３ｂにより、主記憶部１４から携帯電話機４の電話番号を削除して、ボタン電話機２に対する着信転送の設定を解除する（ステップＳ４０３）。着信転送が解除されると、設定部１３ｂは、着信転送を解除した旨を示す解除完了通知をボタン電話機２に送信する（ステップ４０４）。解除完了通知を受信すると、ボタン電話機２の子機制御部２４は、ボタン電話機２に設けられているランプに着信転送が解除された旨を示す表示をさせたり、スピーカに着信転送が解除された旨を示す音声を出力させたりするなどの解除完了通知動作を行わせる（ステップＳ４０５）。これにより、外部からボタン電話機２に対して着信があると、主装置１の機能処理部１３ａは、内線Ｉ／Ｆ部１２、内線伝送路２０、伝送Ｉ／Ｆ２１を介してボタン電話機２を呼び出す。この後、必要に応じて主装置１から携帯電話機４にメール等で転送設定を解除した旨を通知するようにしてもよい。
【００３７】
＜主装置の動作＞
次に、図５、図６を参照して、主装置の動作について説明する。まず、図５を参照して転送先を設定する際の主装置１の動作について説明する。
【００３８】
主装置１の主制御部１３は、内線Ｉ／Ｆ部１２を介してボタン電話機２からリーダ装置３により読み出された携帯電話機４の電話番号を受信すると（ステップＳ５０１：ＹＥＳ）、設定部１３ｂは、その受信した電話番号をボタン電話機２の転送先として設定する（ステップＳ５０２）。このとき、ボタン電話機２の内線番号と携帯電話機４の電話番号とは、対応付けられて転送ＤＢ１４１に登録される。この登録後にボタン電話機２に対して着信があると、転送ＤＢ１４１にボタン電話機２の転送先として携帯電話機４の電話番号が登録されているので、転送部１３ｃは、その着信を携帯電話機４に転送する。
【００３９】
転送先を設定すると、設定部１３ｂは、転送先の設定が完了した旨を示す設定完了通知をボタン電話機２に送信する（ステップＳ５０３）。これにより、ボタン電話機２に、ボタン電話機２に設けられているランプにより転送先が設定された旨を示す表示をさせたり、スピーカに転送先により着信転送が設定された旨を示す音声を出力させる。
【００４０】
次に、図６を参照して、転送設定を解除する際の主装置１の動作について説明する。
【００４１】
ボタン電話機２から転送解除要求を受信すると（ステップＳ６０１：ＹＥＳ）、主制御部１３の設定部１３ｂは、ボタン電話機２が転送設定中であるか否かを確認する（ステップＳ６０２）。この確認は、転送ＤＢ１４１に、ボタン電話機２の内線番号が何れかの電話番号と対応付けて登録されているか否かを確認することにより行われる。
【００４２】
転送設定中である場合（ステップＳ６０２：ＹＥＳ）、設定部１３ｂは、ボタン電話機２の着信転送を解除する（ステップＳ６０３）。このとき、転送ＤＢ１４１に対応付けて登録されていたボタン電話機２の内線番号と何れかの電話番号とは、消去される。これにより、その解除後にボタン電話機２に対して着信があると、転送ＤＢ１４１にボタン電話機２の転送先として何も登録されていないので、機能処理部１３ａは、内線Ｉ／Ｆ部１２、内線伝送路２０、伝送Ｉ／Ｆ２１を介してボタン電話機２を呼び出す。着信転送を解除すると、設定部１３ｂは、着信転送を解除した旨を示す解除完了通知をボタン電話機２に送信する（ステップ６０４）。これにより、ボタン電話機２に、ボタン電話機２に設けられているランプに着信転送が解除された旨を示す表示をさせたり、スピーカに着信転送が解除された旨を示す音声を出力させる。
【００４３】
一方、転送設定中ではない場合（ステップＳ６０２：ＮＯ）、設定部１３ｂは、ボタン電話機２に転送設定を解除できない旨を示す設定解除失敗通知を送信する（ステップＳ６０５）。これにより、ボタン電話機２に、ボタン電話機２に設けられているランプに着信転送が解除できない旨を示す表示をさせたり、スピーカに着信転送が解除できない旨を示す音声を出力させる。
【００４４】
以上説明したように、本実施の形態によれば、ボタン電話機２に接続されたリーダ装置３に携帯電話機４をかざすという簡単な操作だけで、着信転送の設定を行うことができる。また、設定解除ボタンを押下するという簡単な操作により、着信転送の解除を行うことができる。
【００４５】
［第３の実施の形態］
次に、本発明の第３の実施の形態について説明する。なお、本実施の形態において、上述した第１，２の実施の形態と同等の構成要素については、同じ名称および符号を付し、適宜説明を省略する。
【００４６】
図７に示すように、本実施の形態に係るボタン電話システムは、主装置１と、この主装置１に収容されたボタン電話機２と、このボタン電話機２に接続されたリーダ装置３と、携帯電話機４ａ，４ｂとから構成される。この携帯電話機４ａ、４ｂは、第１の実施の形態で示した携帯電話機４と同等の構成を有している。
【００４７】
ここで、主装置１の主制御部１３には、機能処理部１３ａ、設定部１３ｂ、転送部１３ｃとともに、時間を計測するタイマ部１３ｄが設けられている。
【００４８】
＜ボタン電話システムの転送設定動作＞
次に、図８を参照して、本実施の形態に係るボタン電話システムの転送設定動作について説明する。
【００４９】
ボタン電話機２への着信を２つの携帯電話機４ａ，４ｂに転送させる設定を行うには、ユーザは、まず携帯電話機４ａをボタン電話機２に接続されたリーダ装置３に近接させる（ステップＳ８０１）。すると、携帯電話機４ａの非接触Ｉ／Ｆ部４６は、携帯電話機４ａの電話番号をリーダ装置３に送信する（ステップＳ８０２）。リーダ装置３は、携帯電話機４ａから電話番号を受信すると、この電話番号をボタン電話機２に送信する（ステップＳ８０３）。ボタン電話機２は、リーダＩ／Ｆ部２６を介してリーダ装置３から携帯電話機４ａの電話番号を受信すると、この電話番号を伝送Ｉ／Ｆ部２１を介して主装置１に送信する（ステップＳ８０４）。主装置１は、内線Ｉ／Ｆ部１２を介してボタン電話機２から携帯電話機４ａの電話番号を受信すると、主制御部１３の設定部１３ｂにより、この電話番号をボタン電話機２に対する着信の転送先として設定する（ステップＳ８０５）。具体的には、転送先となる携帯電話機４ａの電話番号とボタン電話機２の内線番号とを対応付けて主記憶部１４の転送ＤＢ１４１に記憶させる。このとき、設定部１３ｂは、タイマ部１３ｄにより時間の計測を開始させる。
【００５０】
携帯電話機４ａを転送先を設定すると、設定部１３ｂは、転送先の設定が完了した旨を示す設定完了通知をボタン電話機２に送信する（ステップ８０６）。設定完了通知を受信すると、ボタン電話機２の子機制御部２４は、ボタン電話機２に設けられているランプに転送先が設定された旨を示す表示をさせたり、スピーカに転送先が設定された旨を示す音声を出力させたりするなどの設定完了通知動作を行う（ステップＳ８０７）。
【００５１】
次に、ユーザは、携帯電話機４ｂをボタン電話機２に接続されたリーダ装置３に近接させ、携帯電話機４ａの場合と同様に、携帯電話機４ｂの電話番号を主装置１に送信させる（ステップＳ８０８〜Ｓ８１１）。ボタン電話機２から携帯電話機４ｂの電話番号を受信すると、主装置１の設定部１３ｂは、携帯電話機４ａの電話番号を受信してから所定の時間内の場合、その携帯電話機４ｂの電話番号をボタン電話機２に対する着信の転送先として設定する（ステップＳ８１２）。具体的には、転送先となる携帯電話機４ｂの電話番号が携帯電話機４ａの電話番号およびボタン電話機２の内線番号とともに転送ＤＢ１４１に記憶される。携帯電話機４ｂも転送先を設定すると、設定部１３ｂは、転送先の設定が完了した旨を示す設定完了通知をボタン電話機２に送信する（ステップ８１３）。設定完了通知を受信すると、ボタン電話機２の子機制御部２４は、ボタン電話機２に設けられているランプに転送先が設定された旨を示す表示をさせたり、スピーカに転送先が設定された旨を示す音声を出力させたりするなどの設定完了通知動作を行う（ステップＳ８１４）。
【００５２】
これにより、外部からボタン電話機２に対して着信があると、主装置１の転送部１３ｃは、その着信を携帯電話機４ａ、４ｂの電話番号に転送する。
【００５３】
一方、ユーザは、携帯電話機４ｂをボタン電話機２に接続されたリーダ装置３に近接させ、上述した場合と同様に、携帯電話機４ｂからリーダ装置３、ボタン電話機２を介して携帯電話機４ｂの電話番号を受信し（ステップＳ８２１〜Ｓ８２４）、携帯電話機４ａの電話番号を受信してから所定の時間を過ぎた場合、設定部１３ｂは、その携帯電話機４ｂの電話番号をボタン電話機２に対する着信の転送先として設定しない（ステップＳ８２５）。この場合、設定部１３ｂは、転送先の設定が失敗した旨を示す設定失敗通知をボタン電話機２に送信する（ステップ８２６）。設定失敗通知を受信すると、ボタン電話機２の子機制御部２４は、ボタン電話機２に設けられているランプに転送先の設定が失敗した旨を示す表示をさせたり、スピーカに転送先の設定が失敗した旨を示す音声を出力させたりするなどの設定失敗動作を行う（ステップＳ８２７）。
【００５４】
このように、本実施の形態によれば、所定の時間内に携帯電話機４ａ，４ｂをリーダに読み込ませるという簡単な操作により、複数の携帯電話機を転送先として設定することができる。
【００５５】
＜主装置の動作＞
次に、図９を参照して、主装置の動作について説明する。
【００５６】
主装置１の主制御部１３は、内線Ｉ／Ｆ部１２を介してボタン電話機２からリーダ装置３により読み出された携帯電話機４ａの電話番号を受信すると（ステップＳ９０１：ＹＥＳ）、設定部１３ｂにより、そのボタン電話機２に着信転送が設定されているか否か確認する（ステップＳ９０２）。この確認は、転送ＤＢ１４１にボタン電話機２の内線番号が何れかの携帯電話機の電話番号と対応付けて記憶されているか否かを検出することにより行われる。
【００５７】
着信転送が設定されていない場合（ステップＳ９０２：ＮＯ）、設定部１３ｂは、その受信した電話番号をボタン電話機２の転送先として設定する（ステップＳ９１３）。このとき、ボタン電話機２と携帯電話機４ａの電話番号とは、対応付けられて転送ＤＢ１４１に登録される。このようにして転送先を設定すると、設定部１３ｂは、転送先の設定が完了した旨を示す設定完了通知をボタン電話機２に送信する（ステップＳ９１４）。設定完了通知を送信すると、設定部１３ｂは、タイマ部１３ｄにより時間の計測を開始させる（ステップＳ９１５）。
【００５８】
一方、着信転送が設定されていない場合（ステップＳ９０２：ＮＯ）、設定部１３ｂは、携帯電話機４ａの電話番号が転送ＤＢ１４１に登録されているか否か確認する（ステップＳ９０３）。
【００５９】
転送ＤＢ１４１に登録されていない場合（ステップＳ９０３：ＮＯ）、設定部１３ｂは、ステップＳ９１５で起動されたタイマにより測定されている時間が所定の時間内であるか否か確認する（ステップＳ９０４）。
【００６０】
所定の時間内ではない場合、設定部１３ｂは、転送先の設定が失敗した旨を示す設定失敗通知をボタン電話機２に送信する（ステップＳ９０８）。一方、所定の時間内の場合、設定部１３ｂは、複数の転送先が設定されているか否か確認する（ステップＳ９０５）。この確認は、転送ＤＢ１４１にボタン電話機２の内線番号に複数の電話番号が対応付けて登録されているか否かを検出することにより行われる。複数の転送先が設定されている場合（ステップＳ９０５：ＹＥＳ）、設定部１３ｂは、転送先の設定が失敗した旨を示す設定失敗通知をボタン電話機２に送信する（ステップＳ９０８）。複数の転送先が設定されていない場合（ステップＳ９０５：ＮＯ）、設定部１３ｂは、携帯電話機４ａの電話番号をボタン電話機２に対する着信の転送先として設定し（ステップＳ９０６）、設定完了通知をボタン電話機２に送信する（ステップＳ９０７）。
【００６１】
一方、転送ＤＢ１４１に登録されている場合（ステップＳ９０３：ＹＥＳ）、設定部１３ｂは、携帯電話機４ａをボタン電話機２に対する着信の転送先から解除する（ステップＳ９０９）。この解除は、携帯電話機４ａの電話番号を転送ＤＢ１４１から削除することにより行うことができる。
【００６２】
次に、設定部１３ｂは、ボタン電話機２に対する転送設定が全て解除されたか否か確認する（ステップＳ９１０）。この確認は、ボタン電話機２の内線番号に何れかの電話番号が対応付けて登録されているか否か転送ＤＢ１４１を確認することにより行われる。
【００６３】
全て解除された場合（ステップＳ９１０：ＹＥＳ）、設定部１３ｂは、全ての転送先が解除された旨を示す全解除完了通知をボタン電話機２に送信する（ステップＳ９１１）。すると、ボタン電話機２では、ボタン電話機２に設けられているランプに全ての転送先が解除された旨を示す表示がされたり、ボタン電話機２のスピーカから全ての転送先が解除された旨を示す音声が出力されたりする。
【００６４】
一方、一部が解除された場合（ステップＳ９１０：ＮＯ）、設定部１３ｂは、一部の転送先が解除された旨を示す一部解除完了通知をボタン電話機２に送信する（ステップＳ９１２）。すると、ボタン電話機２では、ボタン電話機２に設けられているランプに一部の転送先が解除された旨を示す表示がされたり、ボタン電話機２のスピーカから一部の転送先が解除された旨を示す音声が出力されたりする。
【００６５】
以上説明したように、本実施の形態によれば、所定の時間内に携帯電話機４ａ，４ｂをリーダに読み込ませるという簡単な操作により、複数の携帯電話機を転送先として設定することができる。
【００６６】
なお、ステップＳ９０９〜Ｓ９１２の処理において、受信した携帯電話機の電話番号が転送先として転送ＤＢ１４１に登録されていた場合、その電話番号のみを転送先から解除するようにしたが、全ての転送先を解除するようにしてもよい。
【００６７】
［第４の実施の形態］  
次に、本発明の第４の実施の形態について説明する。なお、本実施の形態において、上述した第１の実施の形態と同等の構成要素については、同じ名称および符号を付し、適宜説明を省略する。
【００６８】
図１０に示すように、本実施の形態に係るボタン電話システムは、主装置１と、この主装置１に接続されたリーダ装置３と、携帯電話機４とから構成される。なお、図示しないが、主装置１にはボタン電話機２が収容されるようにしてもよい。
【００６９】
主装置１は、外線Ｉ／Ｆ部１１と、内線Ｉ／Ｆ部１２と、主制御部１３と、主記憶部１４と、リーダ装置３から受信した情報を受け付けて主制御部１３に入力するリーダＩ／Ｆ１５とを備えている。
【００７０】
ここで、主記憶部１４には、転送ＤＢ１４１と、設定ＤＢ１４２とが設けられている。この設定ＤＢ１４２には、図１１に示すように、符号ａで示す携帯電話機の電話番号と、符号ｂで示す内線番号とが予め対応付けて登録されている。
【００７１】
＜ボタン電話システムの転送設定動作および転送解除動作＞
次に、図１２を参照して、本実施の形態に係るボタン電話システムの転送設定動作および転送解除動作について説明する。
【００７２】
例えば、携帯電話機４を所持しているユーザが外出する場合に、このユーザに対する着信を携帯電話機４に転送させる設定を行うには、ユーザは、例えば玄関などに配置されたリーダ装置３に携帯電話機４を近接させる（ステップＳ１２０１）。すると、携帯電話機４の非接触Ｉ／Ｆ部４６は、携帯電話機４の電話番号をリーダ装置３に送信する（ステップＳ１２０２）。リーダ装置３は、携帯電話機４から電話番号を受信すると、この電話番号を主装置１に送信する（ステップＳ１２０３）。主装置１は、リーダＩ／Ｆ部１５を介してリーダ装置３から携帯電話機４の電話番号を受信すると、主制御部１３の設定部１３ｂにより、この電話番号を設定ＤＢ１４２から検索し、その電話番号と対応付けられている内線番号を取得する（ステップＳ１２０４）。続いて、設定部１３ｂは、受信した携帯電話機４の電話番号を、取得した内線番号に対する着信の転送先として設定し、転送ＤＢ１４１に登録する（ステップＳ１２０５）。転送先を設定すると、設定部１３ｂは、転送先の設定が完了した旨を示す設定完了通知動作を行う（ステップＳ１２０６）。この設定完了通知動作としては、例えば、リーダ装置３にスピーカやランプ等を設け、これらに転送先の設定が完了した旨の音声を出力させたり表示をさせたりするようにしてもよい。
【００７３】
これにより、外部から転送設定がされた内線番号に対して着信があると、主装置１の転送部１３ｃは、その着信を携帯電話機４の電話番号に転送する。
【００７４】
転送の設定を解除するには、以下の操作を行えばよい。
【００７５】
例えば、外出から戻って来るなど、転送の必要がなくなり、所定の内線番号に対する着信を携帯電話機４に転送の設定を解除する場合、ユーザは、携帯電話機４をリーダ装置３に近接させる（ステップＳ１２１１）。すると、携帯電話機４の非接触Ｉ／Ｆ部４６は、携帯電話機４の電話番号をリーダ装置３に送信する（ステップＳ１２１２）。リーダ装置３は、携帯電話機４から電話番号を受信すると、この電話番号を主装置１に送信する（ステップＳ１２１３）。主装置１は、リーダＩ／Ｆ部１５を介してリーダ装置３から携帯電話機４の電話番号を再度受信すると、主制御部１３の設定部１３ｂにより、転送ＤＢ１４１から所定の内線番号と携帯電話機４の電話番号とを削除することにより、その所定の内線番号に対する着信転送の設定を解除する（ステップＳ１２１４）。着信転送を解除すると、設定部１３ｂは、着信転送を解除した旨を示す解除完了通知動作を行う（ステップ１２１５）。この解除完了通知動作としては、例えば、リーダ装置３にスピーカやランプ等を設け、これらに着信転送が解除された旨の音声を出力させたり表示をさせたりするようにしてもよい。
【００７６】
これにより、外部から所定の内線番号に対して着信があると、主装置１の機能処理部１３ａは、所定の内線番号に対応するボタン電話機を呼び出すこととなる。
【００７７】
＜主装置の動作＞
次に、図１３を参照して、主装置の動作について説明する。
【００７８】
主装置１の主制御部１３は、リーダＩ／Ｆ部１５を介してリーダ装置３により読み出された携帯電話機４の電話番号を受信すると（ステップＳ１３０１：ＹＥＳ）、設定部１３ｂにより、その携帯電話機４の電話番号に着信転送が設定されているか否か確認する（ステップＳ１３０２）。この確認は、転送ＤＢ１４１に携帯電話機４の電話番号が記憶されているか否かを検出することにより行われる。
【００７９】
着信転送が設定されている場合（ステップＳ１３０２：ＹＥＳ）、設定部１３ｂは、その受信した電話番号と、この電話番号と対応付けられている内線番号とを転送ＤＢ１４１から削除することにより、着信転送を解除する（ステップＳ１３０８）。着信転送を解除すると、設定部１３ｂは、解除完了通知動作を行わせる（ステップＳ１３０９）。
【００８０】
一方、着信転送が設定されていない場合（ステップＳ１３０２：ＮＯ）、設定部１３ｂは、携帯電話機４の電話番号が設定ＤＢ１４２から検索する（ステップＳ１３０３）。
【００８１】
受信した携帯電話機４の電話番号が設定ＤＢ１４２に登録されていない場合（ステップＳ１３０４：ＮＯ）、設定部１３ｂは、設定失敗動作を行わせる（ステップＳ１３０７）。この設定失敗動作としては、例えば、リーダ装置３にスピーカやランプ等を設け、これらに着信転送の設定が失敗した旨の音声を出力させたり表示をさせたりするようにしてもよい。
【００８２】
受信した携帯電話機４の電話番号が設定ＤＢ１４２に登録されている場合（ステップＳ１３０４：ＹＥＳ）、設定部１３ｂは、設定ＤＢ１４２に登録されているその電話番号と対応付けられた内線番号を抽出し、この内線番号に対する着信の転送先として受信した携帯電話機４の電話番号を設定し、転送ＤＢ１４１に登録する（ステップＳ１３０５）。転送先を設定すると、設定部１３ｂは、転送先の設定が完了した旨を示す設定完了通知動作を行う（ステップＳ１３０６）。この設定完了通知動作としては、例えば、リーダ装置３にスピーカやランプ等を設け、これらに転送先の設定が完了した旨の音声を出力させたり表示をさせたりするようにしてもよい。
【００８３】
以上説明したように、本実施の形態によれば、主装置１に接続されたリーダ装置３に携帯電話機４をかざすという簡単な操作だけで、着信転送の設定および解除を行うことができる。
【００８４】
なお、本実施の形態において、上述した第３の実施の形態のように、複数の電話番号を転送先として設定するようにしてもよい。
【産業上の利用可能性】
【００８５】
本発明は、携帯電話機から電話番号を読み出すことができるリーダ装置を有する各種電話システムに適用することができる。
【図面の簡単な説明】
【００８６】
【図１】本発明の第１の実施の形態のボタン電話システムの構成を模式的に示す図である。
【図２】本発明の第１の実施の形態のボタン電話システムの動作を示す図である。
【図３】本発明の第１の実施の形態における主装置の動作を示す図である。
【図４】本発明の第２の実施の形態のボタン電話システムの動作を示す図である。
【図５】本発明の第２の実施の形態における主装置の転送設定動作を示す図である。
【図６】本発明の第２の実施の形態における主装置の転送解除動作を示す図である。
【図７】本発明の第３の実施の形態のボタン電話システムの構成を模式的に示す図である。
【図８】本発明の第３の実施の形態のボタン電話システムの動作を示す図である。
【図９】本発明の第３の実施の形態における主装置の動作を示す図である。
【図１０】本発明の第４の実施の形態のボタン電話システムの構成を模式的に示す図である。
【図１１】設定ＤＢの構成を模式的に示す図である。
【図１２】本発明の第４の実施の形態のボタン電話システムの動作を示す図である。
【図１３】本発明の第４の実施の形態における主装置の動作を示す図である。
【符号の説明】
【００８７】
１…主装置、２…ボタン電話機、３…リーダ装置、４…携帯電話機、１０…電話網、１１…外線Ｉ／Ｆ部、１２…内線Ｉ／Ｆ部、１３…主制御部、１３ａ…機能処理部、１３ｂ…設定部、１３ｃ…転送部、１３ｄ…タイマ部、１４…主記憶部、１５…リーダＩ／Ｆ部、２０…内線伝送路、２１…伝送Ｉ／Ｆ部、２２…音声処理部、２３…操作入力部、２４…子機制御部、２５…制御メモリ、２６…リーダＩ／Ｆ部、４１…無線Ｉ／Ｆ部、４２…音声処理部、４３…操作入力部、４４…携帯制御部、４５…制御メモリ、４６…非接触Ｉ／Ｆ部、１４１…転送ＤＢ、１４２…設定ＤＢ。
【図１】
2010087840.tif 000003
【図２】
2010087840.tif 000004
【図３】
2010087840.tif 000005
【図４】
2010087840.tif 000006
【図５】
2010087840.tif 000007
【図６】
2010087840.tif 000008
【図７】
2010087840.tif 000009
【図８】
2010087840.tif 000010
【図９】
2010087840.tif 000011
【図１０】
2010087840.tif 000012
【図１１】
2010087840.tif 000013
【図１２】
2010087840.tif 000014
【図１３】
2010087840.tif 000015